【事件の表示】
　特願２００７−５４９６０３「脂肪酸アミドヒドロラーゼのモジュレーターとしてのピペラジニルおよびピペリジニル尿素」拒絶査定不服審判事件〔平成１８年　７月１３日国際公開、ＷＯ２００６／０７４０２５、平成２０年　７月２４日国内公表、特表２００８−５２６７５５、請求項の数（３０）〕について、次のとおり審決する。
【結　論】
　原査定を取り消す。
　本願の発明は、特許すべきものとする。
【理　由】
第１　手続の経緯　
　本願は、２００５年１２月２９日（パリ条約に基づく優先権主張　外国庁受理　２００４年１２月３０日　アメリカ合衆国（ＵＳ））を国際出願日とする出願であって、２００７年　８月２８日に特許協力条約第１９条の補正がされ、平成２３年　８月３１日付けで拒絶理由が通知され、平成２４年　２月２９日付けで意見書の提出及び手続補正がされ、同年　３月２３日付けで拒絶査定がされ、これに対し、同年　８月　６日に拒絶査定不服審判が請求されたものである。これに対し、平成２５年　９月１８日付けで当審より拒絶理由が通知され、同年１２月２４日に意見書の提出及び手続補正がされたものである。
　
第２　本願発明
　本願の請求項１に係る発明は、平成２５年１２月２４日付けの手続補正で補正された特許請求の範囲の請求項１〜３０に記載された事項により特定されるものであって、他の請求項を引用しない形式で記載された請求項である、請求項１、２２及び２８の記載は、それぞれ以下のとおりのものである。
　
「【請求項１】
　式（Ｉ）：
　　【化１】
［式中：
・Ｚは−Ｎ−もしくは＞ＣＨであり；
・Ｒ1は−Ｈもしくは−Ｃ1〜4アルキルであり；
・Ａｒ1は、各々非置換のまたは１もしくは２個のＲa部分で炭素環員において置換された、２−チアゾリル、２−ピリジル、３−ピリジル、４−ピリジル、２−ピリミジニル、４−ピリミジニルもしくは５−ピリミジニルであり；
　ここで、各Ｒa部分は−Ｃ1〜4アルキル、−Ｃ2〜4アルケニル、−ＯＨ、−ＯＣ1〜4アルキル、ハロ、−ＣＦ3、−ＯＣＦ3、−ＳＣＦ3、−ＳＨ、−Ｓ（Ｏ）0〜2Ｃ1〜4アルキル、−ＯＳＯ2Ｃ1〜4アルキル、−ＣＯ2Ｃ1〜4アルキル、−ＣＯ2Ｈ、−ＣＯＣ1〜4アルキル、−Ｎ（Ｒb）Ｒc、−ＳＯ2ＮＲbＲc、−ＮＲbＳＯ2Ｒc、−Ｃ（＝Ｏ）ＮＲbＲc、−ＮＯ2および−ＣＮよりなる群から独立して選択され、ここで、ＲbおよびＲcは各々独立して−Ｈもしくは−Ｃ1〜4アルキルであり；そして
・Ａｒ2は：
（ａ）非置換の１−ナフチル；またはフェナントレニル、ピレニル、フルオレニル、２−ナフチルもしくはＮ−Ｒd−９Ｈ−カルバゾリル部分、ここで、Ｒdは−Ｈ、−Ｃ1〜4アルキルおよびフェニルよりなる群から選択され、各該部分は非置換であるかまたは１、２もしくは３個のＲe置換基で置換され、
　ここで、各Ｒe置換基は−Ｃ1〜4アルキル、−Ｃ2〜4アルケニル、−ＯＨ、−ＯＣ1〜4アルキル、ハロ、−ＣＦ3、−ＯＣＦ3、−ＳＣＦ3、−ＳＨ、−Ｓ（Ｏ）0〜2Ｃ1〜4アルキル、−ＯＳＯ2Ｃ1〜4アルキル、−ＣＯ2Ｃ1〜4アルキル、−ＣＯ2Ｈ、−ＣＯＣ1〜4アルキル、−Ｎ（Ｒb）Ｒc、−ＳＯ2ＮＲbＲc、−ＮＲbＳＯ2Ｒc、−Ｃ（＝Ｏ）ＮＲbＲc、−ＮＯ2および−ＣＮよりなる群から独立して選択され、ここで、ＲbおよびＲcは前に定義したとおりである；
（ｂ）縮合環構造を形成するために０もしくは１個の二重結合を有する−（ＣＨ2）3〜5−、−ＯＣＨ2ＣＨ2Ｏ−および−ＯＣＦ2Ｏ−よりなる群から選択される基に２個の隣接する環炭素原子において縮合したフェニル；または４−ベンゾ［１，３］ジオキソリルを形成するために−ＯＣＨ2Ｏ−で隣接する環炭素原子上で置換されたフェニル；各フェニル部分はさらに非置換であるかまたは１、２もしくは３個の前に定義したとおりのＲe置換基で置換される；
（ｃ）Ａｒ6、ここで、Ａｒ6は、非置換のまたは１、２もしくは３個の前に定義したとおりのＲe置換基で置換された、１もしくは２個の窒素へテロ原子を有する、結合点として炭素を有する６員の単環式ヘテロアリ−ルである；
（ｄ）環結合点として炭素原子を有する、Ｎ、ＯおよびＳよりなる群から選択される１個のヘテロ原子を有し、そして場合により窒素で置換された４個までの追加の炭素環原子を有していてもよい、９もしくは１０員の縮合した二環式ヘテロアリ−ル、該縮合した二環式ヘテロアリ−ルは５個以下のヘテロ原子を有し、そして非置換であるかまたは１、２もしくは３個の前に定義したとおりのＲe置換基で置換される；
（ｅ）Ｒgで３もしくは４位において置換され、そして場合により１、２もしくは３個の置換基Ｒhでさらに置換されていてもよいフェニル、　ここで、各Ｒgは場合により−ＮＲiＲj（ここで、ＲiおよびＲjは各々独立して−Ｈもしくは−Ｃ1〜8アルキルであるか、またはＲiおよびＲjは結合の窒素環原子と一緒になって場合によりＯ、Ｓ、＞ＮＨもしくは＞ＮＣ1〜4アルキルで置換された１個の追加の炭素環原子を有していてもよい５、６もしくは７員のヘテロシクロアルキル環を形成する）で置換されていてもよい、−Ｃ2〜8アルキル、−Ｃ2〜8アルケニル、−ＯＣ3〜8シクロアルキル、−ＯＣ3〜8ヘテロシクロアルキルおよび−Ｏ−Ｃ2〜10アルキルよりなる群から独立して選択され、；そして
　各Ｒh置換基は−Ｃ1〜4アルキル、−Ｃ2〜4アルケニル、−ＯＨ、−ＯＣ1〜4アルキル、ハロ、−ＣＦ3、−ＯＣＦ3、−ＳＣＦ3、−ＳＨ、−Ｓ（Ｏ）0〜2Ｃ1〜4アルキル、−ＯＳＯ2Ｃ1〜4アルキル、−ＣＯ2Ｃ1〜4アルキル、−ＣＯ2Ｈ、−ＣＯＣ1〜4アルキル、−Ｎ（Ｒb）Ｒc、−ＳＯ2ＮＲbＲc、−ＮＲbＳＯ2Ｒc、−Ｃ（＝Ｏ）ＮＲbＲc、−ＮＯ2および−ＣＮよりなる群から独立して選択され、ここで、ＲbおよびＲcは前に定義したとおりである；
（ｆ）−Ｌ−Ａｒ3で３もしくは４位において置換されたフェニル、ここで：
・Ｌは−（ＣＨ2）1〜3−、−ＣＨ＝ＣＨ−、−Ｏ−、−ＯＣＨ2−、−ＣＨ2Ｏ−、−ＮＨ−、＞ＮＣ1〜4アルキル、＞Ｓ（＝Ｏ）0〜2、−ＯＳＯ2−、−Ｃ≡Ｃ−、−Ｃ（＝Ｏ）−および共有結合よりなる群から選択されるリンカーであり；そして
・Ａｒ3は：
（１）フェニル、ナフチルおよびフェナントレニル、
（２）Ａｒ6'、ここで、Ａｒ6'は１もしくは２個の窒素へテロ原子を有する、結合点として炭素を有する６員の単環式ヘテロアリ−ルである、
（３）Ａｒ5'、ここで、Ａｒ5'はＯ、Ｓ、＞ＮＨおよび＞ＮＲf（ここで、Ｒfは−Ｃ1〜8アルキルもしくは−Ｃ0〜3フェンアルキルである）よりなる群から選択される１個のヘテロ原子を有し、そして０、１、２もしくは３個の追加の窒素へテロ原子を有する、結合点として炭素を有する５員の単環式ヘテロアリ−ルである、ならびに
（４）環結合点として炭素を有する、Ｎ、ＯおよびＳよりなる群から選択される１個のヘテロ原子を有し、そして場合により窒素で置換された４個までの追加の炭素環原子を有していてもよい、９もしくは１０員の縮合した二環式ヘテロアリ−ル、該縮合した二環式ヘテロアリ−ルは５個以下のヘテロ原子を有する
よりなる群から選択される部分であり；
　ここで、部分（１）〜（４）の各々は縮合環構造を形成するために場合により隣接する炭素上で−ＯＣ1〜4アルキレンＯ−、−（ＣＨ2）2〜3ＮＨ−、−（ＣＨ2）1〜2ＮＨ（ＣＨ2）−、−（ＣＨ2）2〜3Ｎ（Ｃ1〜4アルキル）−もしくは−（ＣＨ2）1〜2Ｎ（Ｃ1〜4アルキル）（ＣＨ2）−でジ置換されていてもよく、そして場合により１、２もしくは３個の置換基Ｒkでさらに置換されていてもよく、
　ここで、各Ｒk置換基は−Ｃ1〜4アルキル、−Ｃ2〜4アルケニル、−ＯＨ、−ＯＣ1〜4アルキル、ハロ、−ＣＦ3、−ＯＣＦ3、−ＳＣＦ3、−ＳＨ、−Ｓ（Ｏ）0〜2Ｃ1〜4アルキル、−ＯＳＯ2Ｃ1〜4アルキル、−ＣＯ2Ｃ1〜4アルキル、−ＣＯ2Ｈ、−ＣＯＣ1〜4アルキル、−Ｎ（Ｒb）Ｒc、−ＳＯ2ＮＲbＲc、−ＮＲbＳＯ2Ｒc、−Ｃ（＝Ｏ）ＮＲbＲc、−ＮＯ2および−ＣＮよりなる群から独立して選択され、ここで、ＲbおよびＲcは前に定義したとおりである；
（ｇ）非置換のまたは１、２もしくは３個の置換基Ｒlで置換された、２−ヒドロキシフェニルもしくは２−メトキシフェニル、
　ここで、各Ｒl置換基は−ＣＨ3、６−Ｃ2〜4アルキル、６−Ｃ2〜4アルケニル、−ＯＨ、−ＯＣＨ3、６−ＯＣ2〜6アルキル、ハロ、−ＣＦ3、−ＯＣＦ3、−ＳＣＦ3、−ＳＨ、−ＳＣ1〜4アルキル、−ＳＯ2Ｃ1〜4アルキル、−ＣＯ2Ｃ1〜4アルキル、−ＣＯ2Ｈ、−ＣＯＣ1〜4アルキル、−Ｎ（Ｒb）Ｒc、−ＳＯ2ＮＲbＲc、−ＮＲbＳＯ2Ｒc、−Ｃ（＝Ｏ）ＮＲbＲc、−ＮＯ2および−ＣＮよりなる群から独立して選択され、ここで、ＲbおよびＲcは前に定義したとおりである；
（ｈ）非置換のまたは１、２もしくは３個の置換基Ｒmで置換された４−ハロフェニル、
　ここで、各Ｒm置換基は−ＣＨ3、２−Ｃ2〜4アルキル、２−Ｃ2〜4アルケニル、３−ヒドロキシ、４−ヒドロキシ、−ＯＣＨ3、２−ＯＣ2〜6アルキル、ハロ、−ＣＦ3、−ＯＣＦ3、−ＳＣＦ3、−ＳＨ、−ＳＣ1〜4アルキル、−ＳＯ2Ｃ1〜4アルキル、−ＣＯ2Ｃ1〜4アルキル、−ＣＯ2Ｈ、−ＣＯＣ1〜4アルキル、−Ｎ（Ｒb）Ｒc、−ＳＯ2ＮＲbＲc、−ＮＲbＳＯ2Ｒc、−Ｃ（＝Ｏ）ＮＲbＲc、−ＮＯ2および−ＣＮよりなる群から独立して選択され、ここで、ＲbおよびＲcは前に定義したとおりである；あるいは（ｉ）２−ブロモフェニル、３−メチルフェニル、３−メトキシフェニル、４−メトキシフェニルもしくは３，４−ジメトキシフェニルである］
の化合物またはそのような化合物の製薬学的に許容しうる塩。」
　
「【請求項２２】
　式（Ｉ）：
　　【化２】
［式中：
・Ｚは−Ｎ−もしくは＞ＣＨであり；
・Ｒ1は−Ｈもしくは−Ｃ1〜4アルキルであり；
・Ａｒ1は、各々非置換のまたは１もしくは２個のＲa部分で炭素環員において置換された、２−チアゾリル、２−ピリジル、３−ピリジル、４−ピリジル、２−ピリミジニル、４−ピリミジニルもしくは５−ピリミジニルであり；
　ここで、各Ｒa部分は−Ｃ1〜4アルキル、−Ｃ2〜4アルケニル、−ＯＨ、−ＯＣ1〜4アルキル、ハロ、−ＣＦ3、−ＯＣＦ3、−ＳＣＦ3、−ＳＨ、−Ｓ（Ｏ）0〜2Ｃ1〜4アルキル、−ＯＳＯ2Ｃ1〜4アルキル、−ＣＯ2Ｃ1〜4アルキル、−ＣＯ2Ｈ、−ＣＯＣ1〜4アルキル、−Ｎ（Ｒb）Ｒc、−ＳＯ2ＮＲbＲc、−ＮＲbＳＯ2Ｒc、−Ｃ（＝Ｏ）ＮＲbＲc、−ＮＯ2および−ＣＮよりなる群から独立して選択され、ここで、ＲbおよびＲcは各々独立して−Ｈもしくは−Ｃ1〜4アルキルであり；そして
・Ａｒ2は：
（ａ）フェナントレニル、ピレニル、フルオレニル、ナフチルもしくはＮ−Ｒd−９Ｈ−カルバゾリル部分、ここで、Ｒdは−Ｈ、−Ｃ1〜4アルキルおよびフェニルよりなる群から選択され、各該部分は非置換であるかまたは１、２もしくは３個のＲe置換基で置換され、
　ここで、各Ｒe置換基は−Ｃ1〜4アルキル、−Ｃ2〜4アルケニル、−ＯＨ、−ＯＣ1〜4アルキル、ハロ、−ＣＦ3、−ＯＣＦ3、−ＳＣＦ3、−ＳＨ、−Ｓ（Ｏ）0〜2Ｃ1〜4アルキル、−ＯＳＯ2Ｃ1〜4アルキル、−ＣＯ2Ｃ1〜4アルキル、−ＣＯ2Ｈ、−ＣＯＣ1〜4アルキル、−Ｎ（Ｒb）Ｒc、−ＳＯ2ＮＲbＲc、−ＮＲbＳＯ2Ｒc、−Ｃ（＝Ｏ）ＮＲbＲc、−ＮＯ2および−ＣＮよりなる群から独立して選択され、ここで、ＲbおよびＲcは前に定義したとおりである；
（ｂ）非置換のまたは１、２もしくは３個の前に定義したとおりのＲe置換基で置換された、縮合環構造を形成するために０もしくは１個の二重結合を有する−（ＣＨ2）3〜5−、−ＯＣＨ2ＣＨ2Ｏ−、−ＯＣＦ2Ｏ−および−ＯＣＨ2Ｏ−よりなる群から選択される基に２個の隣接する環炭素原子で縮合したフェニル；
（ｃ）Ａｒ6、ここで、Ａｒ6は非置換のまたは１、２もしくは３個の前に定義したとおりのＲe置換基で置換された、１もしくは２個の窒素へテロ原子を有する、結合点として炭素を有する６員の単環式ヘテロアリ−ルである；
（ｄ）環結合点として炭素原子を有する、Ｎ、ＯおよびＳよりなる群から選択される１個のヘテロ原子を有し、そして場合により窒素で置換された４個までの追加の炭素環原子を有していてもよい、９もしくは１０員の縮合した二環式ヘテロアリ−ル、該縮合した二環式ヘテロアリ−ルは５個以下のヘテロ原子を有し、そして非置換であるかまたは１、２もしくは３個の前に定義したとおりのＲe置換基で置換される；
（ｅ）Ｒgで３もしくは４位で置換され、そして場合により１、２もしくは３個の置換基Ｒhでさらに置換されていてもよいフェニル、
　ここで、各Ｒgは場合により−ＮＲiＲj（ここで、ＲiおよびＲjは各々独立して−Ｈもしくは−Ｃ1〜8アルキルであるか、またはＲiおよびＲjは結合の窒素環原子と一緒になって場合によりＯ、Ｓ、＞ＮＨもしくは＞ＮＣ1〜4アルキルで置換された１個の追加の炭素環原子を有していてもよい５、６もしくは７員のヘテロシクロアルキル環を形成する）で置換されていてもよい−Ｃ2〜8アルキル、−Ｃ2〜8アルケニル、−ＯＣ3〜8シクロアルキル、−ＯＣ3〜8ヘテロシクロアルキルおよび−Ｏ−Ｃ2〜10アルキルよりなる群から独立して選択され；そして
　各Ｒh置換基は−Ｃ1〜4アルキル、−Ｃ2〜4アルケニル、−ＯＨ、−ＯＣ1〜4アルキル、ハロ、−ＣＦ3、−ＯＣＦ3、−ＳＣＦ3、−ＳＨ、−Ｓ（Ｏ）0〜2Ｃ1〜4アルキル、−ＯＳＯ2Ｃ1〜4アルキル、−ＣＯ2Ｃ1〜4アルキル、−ＣＯ2Ｈ、−ＣＯＣ1〜4アルキル、−Ｎ（Ｒb）Ｒc、−ＳＯ2ＮＲbＲc、−ＮＲbＳＯ2Ｒc、−Ｃ（＝Ｏ）ＮＲbＲc、−ＮＯ2および−ＣＮよりなる群から独立して選択され、ここで、ＲbおよびＲcは前に定義したとおりである；
（ｆ）−Ｌ−Ａｒ3で３もしくは４位で置換されたフェニル、ここで：
・Ｌは−（ＣＨ2）1〜3−、−ＣＨ＝ＣＨ−、−Ｏ−、−ＯＣＨ2−、−ＣＨ2Ｏ−、−ＮＨ−、＞ＮＣ1〜4アルキル、＞Ｓ（＝Ｏ）0〜2、−ＯＳＯ2−、−Ｃ≡Ｃ−、−Ｃ（＝Ｏ）−および共有結合よりなる群から選択されるリンカーであり；そして
・Ａｒ3は：
（１）フェニル、ナフチルおよびフェナントレニル、
（２）Ａｒ6'、ここで、Ａｒ6'は１もしくは２個の窒素へテロ原子を有する、結合点とし
て炭素を有する６員の単環式ヘテロアリ−ルである、
（３）Ａｒ5'、ここで、Ａｒ5'はＯ、Ｓ、＞ＮＨおよび＞ＮＲf（ここで、Ｒfは−Ｃ1〜8アルキルもしくは−Ｃ0〜3フェンアルキルである）よりなる群から選択される１個のヘテロ原子を有し、そして０、１、２もしくは３個の追加の窒素へテロ原子を有する、結合点として炭素を有する５員の単環式ヘテロアリ−ルである、ならびに
（４）環結合点として炭素を有する、Ｎ、ＯおよびＳよりなる群から選択される１個のヘテロ原子を有し、そして場合により窒素で置換された４個までの追加の炭素環原子を有していてもよい、９もしくは１０員の縮合した二環式ヘテロアリ−ル、該縮合した二環式ヘテロアリ−ルは５個以下のヘテロ原子を有する
よりなる群から選択される部分であり；
　ここで、部分（１）〜（４）の各々は縮合環構造を形成するために場合により隣接する炭素上で−ＯＣ1〜4アルキレンＯ−、−（ＣＨ2）2〜3ＮＨ−、−（ＣＨ2）1〜2ＮＨ（ＣＨ2）−、−（ＣＨ2）2〜3Ｎ（Ｃ1〜4アルキル）−もしくは−（ＣＨ2）1〜2Ｎ（Ｃ1〜4アルキル）（ＣＨ2）−でジ置換されていてもよく、そして場合により１、２もしくは３個の置換基Ｒkでさらに置換されていてもよく、
　ここで、各Ｒk置換基は−Ｃ1〜4アルキル、−Ｃ2〜4アルケニル、−ＯＨ、−ＯＣ1〜4アルキル、ハロ、−ＣＦ3、−ＯＣＦ3、−ＳＣＦ3、−ＳＨ、−Ｓ（Ｏ）0〜2Ｃ1〜4アルキル、−ＯＳＯ2Ｃ1〜4アルキル、−ＣＯ2Ｃ1〜4アルキル、−ＣＯ2Ｈ、−ＣＯＣ1〜4アルキル、−Ｎ（Ｒb）Ｒc、−ＳＯ2ＮＲbＲc、−ＮＲbＳＯ2Ｒc、−Ｃ（＝Ｏ）ＮＲbＲc、−ＮＯ2および−ＣＮよりなる群から独立して選択され、ここで、ＲbおよびＲcは前に定義したとおりである；
（ｇ）非置換のまたは１、２もしくは３個の置換基Ｒlで置換された、２−ヒドロキシフェニルもしくは２−メトキシフェニル、
　ここで、各Ｒl置換基は−ＣＨ3、６−Ｃ2〜4アルキル、６−Ｃ2〜4アルケニル、−ＯＨ、−ＯＣＨ3、６−ＯＣ2〜6アルキル、ハロ、−ＣＦ3、−ＯＣＦ3、−ＳＣＦ3、−ＳＨ、−ＳＣ1〜4アルキル、−ＳＯ2Ｃ1〜4アルキル、−ＣＯ2Ｃ1〜4アルキル、−ＣＯ2Ｈ、−ＣＯＣ1〜4アルキル、−Ｎ（Ｒb）Ｒc、−ＳＯ2ＮＲbＲc、−ＮＲbＳＯ2Ｒc、−Ｃ（＝Ｏ）ＮＲbＲc、−ＮＯ2および−ＣＮよりなる群から独立して選択され、ここで、ＲbおよびＲcは前に定義したとおりである；
（ｈ）非置換のまたは１、２もしくは３個の置換基Ｒmで置換された４−ハロフェニル、　ここで、各Ｒm置換基は−ＣＨ3、２−Ｃ2〜4アルキル、２−Ｃ2〜4アルケニル、３−ヒドロキシ、４−ヒドロキシ、−ＯＣＨ3、２−ＯＣ2〜6アルキル、ハロ、−ＣＦ3、−ＯＣＦ3、−ＳＣＦ3、−ＳＨ、−ＳＣ1〜4アルキル、−ＳＯ2Ｃ1〜4アルキル、−ＣＯ2Ｃ1〜4アルキル、−ＣＯ2Ｈ、−ＣＯＣ1〜4アルキル、−Ｎ（Ｒb）Ｒc、−ＳＯ2ＮＲbＲc、−ＮＲbＳＯ2Ｒc、−Ｃ（＝Ｏ）ＮＲbＲc、−ＮＯ2および−ＣＮよりなる群から独立して選択され、ここで、ＲbおよびＲcは前に定義したとおりである；あるいは（ｉ）２−ブロモフェニル、３−メチルフェニル、３−メトキシフェニル、４−メトキシフェニルもしくは３，４−ジメトキシフェニルである］の化合物またはそのような化合物の製薬学的に許容しうる塩を有効成分として含んでなる、脂肪酸アミドヒドロラーゼ（ＦＡＡＨ）により引き起こされる疾患、障害もしくは医学的症状を患っているかもしくはそのように診断される患者の処置剤。」
　
「【請求項２８】
　（ａ）式（Ｉ）：
　　【化３】
［式中：
・Ｚは−Ｎ−もしくは＞ＣＨであり；
・Ｒ1は−Ｈもしくは−Ｃ1〜4アルキルであり；
・Ａｒ1は、各々非置換のまたは１もしくは２個のＲa部分で炭素環員において置換された
、２−チアゾリル、２−ピリジル、３−ピリジル、４−ピリジル、２−ピリミジニル、４−ピリミジニルもしくは５−ピリミジニルであり；
　ここで、各Ｒa部分は−Ｃ1〜4アルキル、−Ｃ2〜4アルケニル、−ＯＨ、−ＯＣ1〜4アルキル、ハロ、−ＣＦ3、−ＯＣＦ3、−ＳＣＦ3、−ＳＨ、−Ｓ（Ｏ）0〜2Ｃ1〜4アルキル、−ＯＳＯ2Ｃ1〜4アルキル、−ＣＯ2Ｃ1〜4アルキル、−ＣＯ2Ｈ、−ＣＯＣ1〜4アルキル、−Ｎ（Ｒb）Ｒc、−ＳＯ2ＮＲbＲc、−ＮＲbＳＯ2Ｒc、−Ｃ（＝Ｏ）ＮＲbＲc、−ＮＯ2および−ＣＮよりなる群から独立して選択され、ここで、ＲbおよびＲcは各々独立して−Ｈもしくは−Ｃ1〜4アルキルであり；そして
・Ａｒ2は：
（ａ）非置換の１−ナフチル；またはフェナントレニル、ピレニル、フルオレニル、２−ナフチルもしくはＮ−Ｒd−９Ｈ−カルバゾリル部分、ここで、Ｒdは−Ｈ、−Ｃ1〜4アルキルおよびフェニルよりなる群から選択され、各該部分は非置換であるかまたは１、２もしくは３個のＲe置換基で置換され、
　ここで、各Ｒe置換基は−Ｃ1〜4アルキル、−Ｃ2〜4アルケニル、−ＯＨ、−ＯＣ1〜4アルキル、ハロ、−ＣＦ3、−ＯＣＦ3、−ＳＣＦ3、−ＳＨ、−Ｓ（Ｏ）0〜2Ｃ1〜4アルキル、−ＯＳＯ2Ｃ1〜4アルキル、−ＣＯ2Ｃ1〜4アルキル、−ＣＯ2Ｈ、−ＣＯＣ1〜4アルキル、−Ｎ（Ｒb）Ｒc、−ＳＯ2ＮＲbＲc、−ＮＲbＳＯ2Ｒc、−Ｃ（＝Ｏ）ＮＲbＲc、−ＮＯ2および−ＣＮよりなる群から独立して選択され、ここで、ＲbおよびＲcは前に定義したとおりである；
（ｂ）縮合環構造を形成するために０もしくは１個の二重結合を有する−（ＣＨ2）3〜5−、−ＯＣＨ2ＣＨ2Ｏ−および−ＯＣＦ2Ｏ−から選択される基に２個の隣接する環炭素原子で縮合したフェニル；または４−ベンゾ［１，３］ジオキソリルを形成するために−ＯＣＨ2Ｏ−で隣接する環炭素原子上で置換されたフェニル；各フェニル部分はさらに非置換であるかまたは１、２もしくは３個の前に定義したとおりのＲe置換基で置換される；
（ｃ）Ａｒ6、ここで、Ａｒ6は、非置換のまたは１、２もしくは３個の前に定義したとおりのＲe置換基で置換された、１もしくは２個の窒素へテロ原子を有する、結合点として炭素を有する６員の単環式ヘテロアリ−ルである；
（ｄ）環結合点として炭素原子を有する、Ｎ、ＯおよびＳよりなる群から選択される１個のヘテロ原子を有し、そして場合により窒素で置換された４個までの追加の炭素環原子を有していてもよい、９もしくは１０員の縮合した二環式ヘテロアリ−ル、該縮合した二環式ヘテロアリ−ルは５個以下のヘテロ原子を有し、そして非置換であるかまたは１、２もしくは３個の前に定義したとおりのＲe置換基で置換される；
（ｅ）Ｒgで３もしくは４位で置換され、そして場合により１、２もしくは３個の置換基Ｒhでさらに置換されていてもよいフェニル、
　ここで、各Ｒgは場合により−ＮＲiＲj（ここで、ＲiおよびＲjは各々独立して−Ｈもしくは−Ｃ1〜8アルキルであるか、またはＲiおよびＲjは結合の窒素環原子と一緒になって場合によりＯ、Ｓ、＞ＮＨもしくは＞ＮＣ1〜4アルキルで置換された１個の追加の炭素環原子を有していてもよい５、６もしくは７員のヘテロシクロアルキル環を形成する）で置換されていてもよい−Ｃ2〜8アルキル、−Ｃ2〜8アルケニル、−ＯＣ3〜8シクロアルキル、−ＯＣ3〜8ヘテロシクロアルキルおよび−Ｏ−Ｃ2〜10アルキルよりなる群から独立して選択され；そして
　各Ｒh置換基は−Ｃ1〜4アルキル、−Ｃ2〜4アルケニル、−ＯＨ、−ＯＣ1〜4アルキル、ハロ、−ＣＦ3、−ＯＣＦ3、−ＳＣＦ3、−ＳＨ、−Ｓ（Ｏ）0〜2Ｃ1〜4アルキル、−ＯＳＯ2Ｃ1〜4アルキル、−ＣＯ2Ｃ1〜4アルキル、−ＣＯ2Ｈ、−ＣＯＣ1〜4アルキル、−Ｎ（Ｒb）Ｒc、−ＳＯ2ＮＲbＲc、−ＮＲbＳＯ2Ｒc、−Ｃ（＝Ｏ）ＮＲbＲc、−ＮＯ2および−ＣＮよりなる群から独立して選択され、ここで、ＲbおよびＲcは前に定義したとおりである；
（ｆ）−Ｌ−Ａｒ3で３もしくは４位で置換されたフェニル、ここで：
・Ｌは−（ＣＨ2）1〜3−、−ＣＨ＝ＣＨ−、−Ｏ−、−ＯＣＨ2−、−ＣＨ2Ｏ−、−ＮＨ−、＞ＮＣ1〜4アルキル、＞Ｓ（＝Ｏ）0〜2、−ＯＳＯ2−、−Ｃ≡Ｃ−、−Ｃ（＝Ｏ）−および共有結合よりなる群から選択されるリンカーであり；そして
・Ａｒ3は：
（１）フェニル、ナフチルおよびフェナントレニル、
（２）Ａｒ6'、ここで、Ａｒ6'は１もしくは２個の窒素へテロ原子を有する、結合点として炭素を有する６員の単環式ヘテロアリ−ルである、
（３）Ａｒ5'、ここで、Ａｒ5'はＯ、Ｓ、＞ＮＨおよび＞ＮＲf（ここで、Ｒfは−Ｃ1〜8アルキルもしくは−Ｃ0〜3フェンアルキルである）よりなる群から選択される１個のヘテロ原子を有し、そして０、１、２もしくは３個の追加の窒素へテロ原子を有する、結合点として炭素を有する５員の単環式ヘテロアリ−ルである、ならびに
（４）環結合点として炭素を有する、Ｎ、ＯおよびＳよりなる群から選択される１個のヘテロ原子を有し、そして場合により窒素で置換された４個までの追加の炭素環原子を有していてもよい、９もしくは１０員の縮合した二環式ヘテロアリ−ル、該縮合した二環式ヘテロアリ−ルは５個以下のヘテロ原子を有する
よりなる群から選択される部分であり；
　ここで、部分（１）〜（４）の各々は縮合環構造を形成するために場合により隣接する炭素上で−ＯＣ1〜4アルキレンＯ−、−（ＣＨ2）2〜3ＮＨ−、−（ＣＨ2）1〜2ＮＨ（ＣＨ2）−、−（ＣＨ2）2〜3Ｎ（Ｃ1〜4アルキル）−もしくは−（ＣＨ2）1〜2Ｎ（Ｃ1〜4アルキル）（ＣＨ2）−でジ置換されていてもよく、そして場合により１、２もしくは３個の置換基Ｒkでさらに置換されていてもよく、
　ここで、各Ｒk置換基は−Ｃ1〜4アルキル、−Ｃ2〜4アルケニル、−ＯＨ、−ＯＣ1〜4アルキル、ハロ、−ＣＦ3、−ＯＣＦ3、−ＳＣＦ3、−ＳＨ、−Ｓ（Ｏ）0〜2Ｃ1〜4アルキル、−ＯＳＯ2Ｃ1〜4アルキル、−ＣＯ2Ｃ1〜4アルキル、−ＣＯ2Ｈ、−ＣＯＣ1〜4アルキル、−Ｎ（Ｒb）Ｒc、−ＳＯ2ＮＲbＲc、−ＮＲbＳＯ2Ｒc、−Ｃ（＝Ｏ）ＮＲbＲc、−ＮＯ2および−ＣＮよりなる群から独立して選択され、ここで、ＲbおよびＲcは前に定義したとおりである；
（ｇ）非置換のまたは１、２もしくは３個の置換基Ｒlで置換された、２−ヒドロキシフェニルもしくは２−メトキシフェニル、
　ここで、各Ｒl置換基は−ＣＨ3、６−Ｃ2〜4アルキル、６−Ｃ2〜4アルケニル、−ＯＨ、−ＯＣＨ3、６−ＯＣ2〜6アルキル、ハロ、−ＣＦ3、−ＯＣＦ3、−ＳＣＦ3、−ＳＨ、−ＳＣ1〜4アルキル、−ＳＯ2Ｃ1〜4アルキル、−ＣＯ2Ｃ1〜4アルキル、−ＣＯ2Ｈ、−ＣＯＣ1〜4アルキル、−Ｎ（Ｒb）Ｒc、−ＳＯ2ＮＲbＲc、−ＮＲbＳＯ2Ｒc、−Ｃ（＝Ｏ）ＮＲbＲc、−ＮＯ2および−ＣＮよりなる群から独立して選択され、ここで、ＲbおよびＲcは前に定義したとおりである；
（ｈ）非置換のまたは１、２もしくは３個の置換基Ｒmで置換された、４−ハロフェニル、
　ここで、各Ｒm置換基は−ＣＨ3、２−Ｃ2〜4アルキル、２−Ｃ2〜4アルケニル、３−ヒドロキシ、４−ヒドロキシ、−ＯＣＨ3、２−ＯＣ2〜6アルキル、ハロ、−ＣＦ3、−ＯＣＦ3、−ＳＣＦ3、−ＳＨ、−ＳＣ1〜4アルキル、−ＳＯ2Ｃ1〜4アルキル、−ＣＯ2Ｃ1〜4アルキル、−ＣＯ2Ｈ、−ＣＯＣ1〜4アルキル、−Ｎ（Ｒb）Ｒc、−ＳＯ2ＮＲbＲc、−ＮＲbＳＯ2Ｒc、−Ｃ（＝Ｏ）ＮＲbＲc、−ＮＯ2および−ＣＮよりなる群から独立して選択され、ここで、ＲbおよびＲcは前に定義したとおりである；あるいは（ｉ）２−ブロモフェニル、３−メチルフェニル、３−メトキシフェニル、４−メトキシフェニルもしくは３，４−ジメトキシフェニルである］
の化合物またはその製薬学的に許容しうる塩よりなる群から選択される薬剤の治療的に有効な量；および
（ｂ）製薬学的に許容しうる賦形剤
を含んでなる製薬学的組成物。」
（以下、請求項に記載された事項により特定される発明を特許請求の範囲に記載された順に「本願発明１」などといい、まとめて「本願発明」ともいう。）
　
第３　原査定の拒絶の理由の概要
　原査定の拒絶の理由は以下のものと認められる。
ア　本願発明１〜３０は、その出願前に日本国内又は外国において、頒布された下記の刊行物２に記載された発明又は電気通信回線を通じて公衆に利用可能となった発明であって、特許法第２９条第１項第３号に該当するから、特許を受けることができない。
イ　本願発明１〜３０は、その出願前に日本国内又は外国において、頒布された下記の刊行物１〜４のいずれかに記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　　　　　記
刊行物：
１.特表２０００−５１３００９号公報
２.特表平９−５１１７６４号公報
３.国際公開第２００４／０８０９６６号
４.国際公開第０３／０３７２７１号
　
第４　当審の判断
１　刊行物の記載事項
　刊行物１には、以下の一般式で表される化合物がカルシトニン類似体として記載されている（２頁　特許請求の範囲１）。
　
　
　本願発明における化合物と化学構造上最も関連する化合物が記載されていると考えられる刊行物２には、以下の記載がある。
ア　「【特許請求の範囲】
１．一般式(I)で表される化合物及びその製薬学的に許容しうる酸付加塩。
(式中、Ｒ1及びＲ2は各々水素、Ｃ1−Ｃ8のアルキル又はＣ3−Ｃ8の置換若しくは非置換の３−６員のシクロアルキルであり、Ｒ3、Ｒ4、Ｒ5、Ｒ6及びＲ7は各々水素、ハロゲン、ヒドロキシ、ニトロ、Ｃ1−Ｃ4の低級エステル、Ｃ1−Ｃ4の低級アルキル、Ｃ1−Ｃ4の低級アルコキシ、アリール、アリールアルコキシ又は不飽和アミンであり、lは0〜7の整数であり、m及びnは各々0又は1の整数であり、Ｗは炭素又は窒素であり、Ｘは酸素、硫黄、置換又は非置換のイミンであり、Ｙは窒素又は酸素であり、Ｚは水素、Ｃ1−Ｃ8のアルコキシ、アリールオキシ、Ｃ1−Ｃ4のアルキルアミン、窒素原子１−５個までを含有する環状アミン又はオキソ基である。)」
　
イ「実施例
  下記の実施例において、一般式(I)及び(I′)の化合物を製造する。
(式中、Ｒ1、Ｒ2、Ｒ3、Ｒ4、Ｒ5、Ｒ6、Ｒ7、l、m、n、Ｗ、Ｘ、Ｙ及びＺは前述の通りである。)
・
」（１１頁〜２１頁）
　
　刊行物３には、概略以下の基本骨格で表される化合物がＣＣＲ５受容体を制御し得る化合物として記載されている（６頁）。
　
　Ｙは結合手又は主鎖の原子数１〜３のスペーサーを表し、環Ｂはさらに置換基を有していてもよい３〜１５員同素環又は複素環、環Ｄはさらに置換基を有していてもよい３〜１５員含窒素複素環、Ｒ２は水素原子、置換基を有していてもよい炭化水素基、シアノ基、保護されていてもよい水酸基、置換基を有していてもよいアミノ基、オキソ基、置換基を有していてもよい３〜１５員複素環基、＝Ｎ−ＯＲ６を表す。
　
　刊行物４には、概略以下の基本骨格で表される化合物がＣＣＲ５受容体を制御し得る化合物として記載されている（１８６−１８８頁　クレーム１）。
　ａは０から３
　ｂは０から３
　Ｑ３は置換されていてもよいアルキル、
　Ｑ５は以下から選ばれる
　Ｑ６は任意に置換された芳香環、任意に置換された非芳香族複素環、任意に置換されたヘテロ芳香環
　
２　対比・判断
（１）特許法第２９条第１項３号の拒絶理由について
ア　刊行物２には、アに化合物の一般式が記載され、イにその一般式で表される化合物の具体的実施例が記載されていることからみて、以下の一般式で表される化合物の発明（以下「引用発明」という。）が記載されているといえる。
「
(式中、Ｒ1及びＲ2は各々水素、Ｃ1−Ｃ8のアルキル又はＣ3−Ｃ8の置換若しくは非置換の３−６員のシクロアルキルであり、Ｒ3、Ｒ4、Ｒ5、Ｒ6及びＲ7は各々水素、ハロゲン、ヒドロキシ、ニトロ、Ｃ1−Ｃ4の低級エステル、Ｃ1−Ｃ4の低級アルキル、Ｃ1−Ｃ4の低級アルコキシ、アリール、アリールアルコキシ又は不飽和アミンであり、lは0〜7の整数であり、m及びnは各々0又は1の整数であり、Ｗは炭素又は窒素であり、Ｘは酸素、硫黄、置換又は非置換のイミンであり、Ｙは窒素又は酸素であり、Ｚは水素、Ｃ1−Ｃ8のアルコキシ、アリールオキシ、Ｃ1−Ｃ4のアルキルアミン、窒素原子１−５個までを含有する環状アミン又はオキソ基である。)」
　
イ　引用発明におけるピペラジン環は、本願発明１におけるＺが−Ｎ−である６員環に相当する。そして、引用発明におけるピリジン環は、Ｒ1、Ｒ2及びＺで置換された３−ピリジルであり、引用発明におけるＲ1、Ｒ2及びＺは、選択肢として水素を含むから、本願発明１におけるＡｒ1 の非置換のまたは１もしくは２個のＲa部分で炭素環員において置換された３−ピリジルに相当する。引用発明のＷ含有環は、２位から６位が、それぞれ、水素、Ｃ1−Ｃ4の低級アルキル、Ｃ1−Ｃ4の低級アルコキシを選択肢として含むＲ3、Ｒ4、Ｒ5、Ｒ6及びＲ7で置換されているから、本願発明１におけるＡｒ2の選択肢である含まれる−Ｃ1〜4アルキル又は−ＯＣ1〜4アルキルから選ばれるＲgで４位で置換されたフェニルに相当するものを含むものである。そして、引用発明の一般式は、本願発明１において、Ａｒ1とＮ含有環とをつなぐカルボキサミドに相当する基である、Ｘが酸素、Ｙが窒素であり、ｌが０、ｍが０である鎖状基を有する化合物を包含し、本願発明１においてＡｒ2 とＮ含有環とをつなぐメチレン基に相当する基である、ｎが１である鎖状基を有する化合物を包含する。
　そうすると、本願発明１と引用発明とは以下の点で一致する。
　本願発明１の一般式
におけるＺが−Ｎ−であって、Ａｒ1 が非置換のまたは１もしくは２個のＲa部分で炭素環員において置換された３−ピリジル、Ａｒ2が−Ｃ1〜4アルキル又は−ＯＣ1〜4アルキルから選ばれるＲgで４位で置換されたフェニルである化合物を包含する一般式で表現された化合物
　これに対し、本願発明１と引用発明は、以下の点で相違する。
（相違点１）
　本願発明１においては、３−ピリジルなどのＡｒ1 は、「非置換のまたは１もしくは２個」の置換基で置換されたものに限定されているのに対し、引用発明においては、置換基の数が明示的に限定されていない点
（相違点２）
　本願発明１においては、Ａｒ1とＮ含有環とを連結する基がカルボキサミドに特定されているのに対し、引用発明は、Ａｒ1とＮ含有環とをつなぐ連結する基がＸが酸素、Ｙが窒素であり、ｌが０、ｍが０であるカルボキサミドに特定されていない点
（相違点３）
　本願発明１においては、Ａｒ2 とＮ含有環とを連結する基がメチレン基に特定されているのに対し、引用発明においては、Ａｒ2 とＮ含有環とを連結する基がｎが１であるメチレン基に特定されていない点
　
ウ　上記相違点について検討する。
　相違点１に関し、刊行物２に具体的に記載された実施例の記載（イ）をみると、大部分の化合物は、Ｒ1、Ｒ2及びＺが水素ではなく、３−ピリジル基が３個の置換基を有しており、３−ピリジル基の置換基が２個以下又は非置換の化合物は、実施例９２〜９３及び１３９〜１４２の６つの化合物のみである。そして、刊行物２のそれらの化合物は、本願発明１と相違点１で相違するものではないとしても、ｎが０であるので、相違点３において相違するものである。
　相違点２に関し、刊行物２に具体的に記載された実施例の記載（イ）をみると、これらのうち多くの化合物は、Ｘが酸素、Ｙが窒素であり、ｌが０、ｍが０であって、３−ピリジル基とピペラジン環Ｎがカルボキサミドで連結されているので、本願発明１と上記相違点２において相違するものではない。しかし、ｌが０であり、ｍが０である化合物はいずれも、Ｒ1、Ｒ2及びＺが水素ではなく、３−ピリジル基が３個の置換基を有しており、３−ピリジル基の置換基が２個以下又は非置換であるという特定事項を備えていない。
　相違点３に関し、刊行物２に具体的に記載された実施例の記載（イ）をみると、大部分の化合物は、ｎが０であって、ｎが１である化合物は、実施例７２〜７５の４つの化合物のみである。そして、この４つの実施例の化合物は、本願発明１と相違点３で相違するものではないとしても、Ｒ1、Ｒ2及びＺのいずれも水素ではないので、３−ピリジル基の置換基が３個であるので、相違点１において相違するものである。
　このように、刊行物２に実施例として具体的に記載された化合物は、いずれも相違点１〜３のいずれかにおいて、本願発明１と相違するものである。そして、刊行物２に、３−ピリジル基の置換基が２個以下又は非置換である実施例９２〜９３及び１３９〜１４２、ｎが１である実施例７２〜７５という本願発明１の特定事項を部分的にのみ備える化合物が記載されていても、刊行物２に具体的に記載された多数の化合物の大部分は、３−ピリジル基が３個の置換基を有するとともに、ｎが０であって、相違点１及び３において本願発明１の化合物と相違する化合物である。そうすると、刊行物２に具体例として実施例７２〜７５、９２〜９３及び１３９〜１４２が記載されていても、そのことをもって、多数の選択肢を有する可変の部分であるｌ、ｍ、ｎ、Ｒ1、Ｒ2及びＺを用いて引用発明が表現された刊行物２の記載から、３−ピリジル基の置換基が２個以下又は非置換であり、かつ、ｎが１に特定された本願発明１の化合物を把握することができるとはいえない。そして、刊行物２には、他にも本願発明１に関する記載を見出せない。したがって、本願発明１は、刊行物２に記載された発明であるとはいえない。
　本願発明２２及び２８と引用発明とを対比すると、それらの一致点及び相違点も、本願発明１と引用発明との一致点及び相違点と同じであるから、本願発明１について述べたのと同様の理由で、本願発明２２及び２８は、刊行物１に記載された発明であるとはいえない。
　さらに、請求項１、２２又は２８を引用する請求項に記載された発明は、本願発明１、２２又は２８の化合物か又はこれら化合物をさらに限定して特定した化合物に関する発明であるから、刊行物２に記載された発明であるとはいえないことは明らかである。
　
（２）特許法第２９条第２項の拒絶理由について
ア　刊行物１について
　刊行物１に記載された一般式で表される化合物は、１，４位に結合点を有する飽和６員環の一方にアリール基、置換アリール基、複素環基、置換複素環が結合した−ＣＨ２−が結合し、他方には置換基を有していてもよい複素環が結合した−ＮＨＣＯ−を有する化合物を包含する点で、本願発明１と一致する。
　しかし、本願発明１においては、置換基を有していてもよい複素環が結合した−ＮＨＣＯ−における複素環基は、２−チアゾリル、２−ピリジル、３−ピリジル、４−ピリジル、２−ピリミジニル、４−ピリミジニルもしくは５−ピリミジニルから選ばれる基Ａｒ１であるのに対し、刊行物１に記載された化合物は、これらの基を有しない点で相違する。
　そして、刊行物１には、本願発明１におけるＡｒ１に挙げられた基を採用することを示唆する記載も見あたらず、刊行物１に上位概念的に本願発明１のＡｒ１と重複し得るような基が記載されているとしても、刊行物１の漠然とした記載は、本願発明１の構造を有する化合物への構造変換を動機付けるものであるとはいえない。そして、この出願の明細書の段落［０５０６］−［０５０９］の記載によれば、本願発明１の化合物は、実際に脂肪酸アミドヒドロラーゼのモジュレーターとして作用することが示されており、技術常識を考慮しても、本願発明１は、刊行物１の記載から当業者が容易に想到し得たものであるということはできない。したがって、本願発明１は、刊行物１に記載された発明に基いて、当業者が容易に発明をすることができたとはいえない。
　また、本願発明２２及び２８と刊行物１に記載された発明とを対比すると、それらの一致点及び相違点も、本願発明１とこれら刊行物に記載された発明との一致点及び相違点と同じであるから、本願発明１について述べたのと同様の理由で、本願発明２２及び２８は、刊行物１に記載された発明に基いて、当業者が容易に発明をすることができたものとはいえない。
　さらに、請求項１、２２又は２８を引用する請求項に記載された発明は、本願発明１、２２又は２８の化合物か又はこれら化合物をさらに限定して特定した化合物に関する発明であるから、刊行物１に記載された発明に基いて、当業者が容易に発明をすることができたものとはいえない。
　
イ　刊行物２について
　本願発明１と引用発明の一致点及び相違点は、上記（１）イで述べたとおりである。刊行物２の５頁７段落に「本発明の目的は、卓越した抗癌活性を持ち毒性の極めて低い一般式（Ｉ）の新規化合物及びその塩を提供することにある。」と記載されていることから理解できるように、刊行物２は、抗癌剤としての抗癌剤としての活性を示す化合物に関する文献である。これに対し、本願発明１は、［０００２］［００２３］の記載からみて、脂肪酸アミドヒドロラーゼ（ＦＡＡＨ）活性により媒介される病状、障害及び症状の処置に対する有用な化合物であり、具体的には、［００２４］に記載されたように、不安、疼痛、睡眠障害などの処置に有用な化合物である。そして、この出願の明細書の段落［０５０６］−［０５０９］に、本願発明１の化合物は、実際に脂肪酸アミドヒドロラーゼのモジュレーターとして作用することが示されており、技術常識を考慮しても、本願発明１は、刊行物２の記載から当業者が容易に想到し得たものであるということはできない。
　また、本願発明２２及び２８と刊行物２に記載された発明とを対比すると、それらの一致点及び相違点も、本願発明１と刊行物２に記載された発明との一致点及び相違点と同じであるから、本願発明１について述べたのと同様の理由で、本願発明２２及び２８は、刊行物２に記載された発明に基いて、当業者が容易に発明をすることができたものとはいえない。
　さらに、請求項１、２２又は２８を引用する請求項に記載された発明は、本願発明１、２２又は２８の化合物か又はこれら化合物をさらに限定して特定した化合物に関する発明であるから、刊行物１に記載された発明に基いて、当業者が容易に発明をすることができたものとはいえない。
　
ウ　刊行物３、４について
　刊行物３、４に記載された化合物は、Ｎ含有複素環の一方に置換基を有していてもよいフェニル基を有し、他方には置換基を有していてもよい複素環が結合したカルバモイル基を有する化合物を包含する点で、本願発明１と一致している。
　本願発明１においては、置換基を有していてもよい複素環が結合したカルバモイル基における複素環基は、２−チアゾリル、２−ピリジル、３−ピリジル、４−ピリジル、２−ピリミジニル、４−ピリミジニルもしくは５−ピリミジニルから選ばれる基Ａｒ１であるのに対し、刊行物３、４に記載された化合物は、これらの基を有するものが明示されていない点で相違する。
　そして、刊行物３、４には、Ｎ含有複素環として、１，４位に結合点を有する無置換の環構造を含む化合物において、置換基を有していてもよい複素環が結合したアルキルカルバモイル基を有する化合物について、漠然と本願発明１の上位概念が記載されているが、本願発明１におけるＡｒ１に相当する構造として、２−チアゾリル、２−ピリジル、３−ピリジル、４−ピリジル、２−ピリミジニル、４−ピリミジニルもしくは５−ピリミジニルから選ばれる基を有するカルバモイルメチル基が飽和６員環に結合した構造を示唆する明示的に示唆する記載は、刊行物３、４には見当たらない。この出願の明細書の段落［０５０６］−［０５０９］の記載によれば、本願発明１の化合物は、実際に脂肪酸アミドヒドロラーゼのモジュレーターとして作用することが示されており、技術常識を考慮しても、本願発明１は、刊行物３、４の記載から当業者が容易に想到し得たものであるということはできない。したがって、本願発明１は、刊行物３、４に記載された発明に基いて、当業者が容易に発明をすることができたとはいえない。
　また、本願発明２２及び２８と刊行物３、４に記載された発明とを対比すると、それらの一致点及び相違点も、本願発明１とこれら刊行物に記載された発明との一致点及び相違点と同じであるから、本願発明１について述べたのと同様の理由で、本願発明２２及び２８は、刊行物３、４に記載された発明に基いて、当業者が容易に発明をすることができたものとはいえない。
　さらに、請求項１、２２又は２８を引用する請求項に記載された発明は、本願発明１、２２又は２８の化合物か又はこれら化合物をさらに限定して特定した化合物に関する発明であるから、刊行物３、４に記載された発明に基いて、当業者が容易に発明をすることができたものとはいえない。
　
第５　むすび
　以上のとおり、本願発明は、刊行物２に記載された発明であるとはいえず、また、刊行物１〜４のいずれかに記載された発明に基いて、当業者が容易に発明をすることができたものであるともいえないから、原査定の理由によっては、本願を拒絶することはできない。
　また、他に本願を拒絶すべき理由を発見しない。
　よって、結論のとおり審決する。